(57)【要約】【課題】手動排水機構の排水栓が開放した状態でも湯はりを行える浴槽の給湯システムを提供する。【解決手段】本発明は、開閉操作部の操作によってワイヤー１２が進出した進出位置と後退した後退位置との間で進退移動して、排水栓１１を開閉する浴槽の給湯システムを対象とする。本発明は、ワイヤー１２の近傍に設けられたシリンダー４と、流通管路９ａ内に湯水が流通した際にその湯水の一部をシリンダー４に導入して、シリンダー４のピストン４２を伸縮させる分岐管４４と、ワイヤー１２が閉塞位置にある状態で、分岐管を介してシリンダー内に湯水が導入された際には、ピストン４２の伸縮運動をワイヤー１２に伝達するのを禁止するとともに、ワイヤー１２が開放位置にある状態で、分岐管４４を介してシリンダー１２内に湯水が導入された際には、ピストン４２の伸縮運動をワイヤー１２に伝達して、ワイヤー１２を閉塞位置に進退移動させる動力伝達機構３とを備える。【選択図】図５
2018071313.tif 000002
【特許請求の範囲】
【請求項１】
浴槽の排水口に開閉自在に設けられた排水栓がワイヤーを介して開閉操作部に連結された手動排水機構を備え、前記開閉操作部の操作によって前記ワイヤーが進出した進出位置と後退した後退位置との間で進退移動するとともに、前記進出位置および前記後退位置のうち一方が前記排水栓を開放している開放位置とし、他方が前記排水栓を閉塞している閉塞位置として構成された浴槽の給湯システムであって、
給湯機から浴槽に湯水を供給する流通管路内に湯水が流通した際にその水流を動力源として動力を発生する動力発生機構と、
前記ワイヤーが前記閉塞位置にある状態で、前記動力発生機構によって動力が発生した際にはその動力を前記ワイヤーに伝達するのを禁止するとともに、前記ワイヤーが前記開放位置にある状態で、前記動力発生手段によって動力が発生した際にはその動力を前記ワイヤーに伝達して閉塞位置に進退移動させる動力伝達機構とを備えたことを特徴とする浴槽の給湯システム。
【請求項２】
前記動力発生機構としてのシリンダーと、
一端が前記シリンダーに連結されるとともに、他端が前記流通管路に連結されて、前記流通管路内に湯水が流通した際にその湯水の一部を前記シリンダーに導入して、前記シリンダーのピストンを伸縮移動させる分岐管とを備え、
前記動力伝達機構は、前記ワイヤーが前記閉塞位置にある状態で、前記分岐管を介して前記シリンダー内に湯水が導入された際には、前記ピストンの伸縮運動を前記ワイヤーに伝達するのを禁止するとともに、前記ワイヤーが前記開放位置にある状態で、前記分岐管を介して前記シリンダー内に湯水が導入された際には、前記ピストンの伸縮運動を前記ワイヤーに伝達して、前記ワイヤーを前記閉塞位置に進退移動させるように構成されている請求項１に記載の浴槽の給湯システム。
【請求項３】
前記開閉操作部が押操作可能な操作ボタンによって構成され、
前記進出位置を前記開放位置とし、前記後退位置を前記閉塞位置としたとき、前記手動排水機構は、前記操作ボタンの押操作によって、前記ワイヤーの前記後退位置から前記進出位置への切替と、前記進出位置から前記後退位置への切替との双方の切替を行えるようにしたプッシュ式の手動排水機構である請求項１または２に記載の浴槽の給湯システム。
【請求項４】
前記開閉操作部が押操作可能な操作ボタンによって構成され、
前記進出位置を前記開放位置とし、前記後退位置を前記閉塞位置としたとき、前記手動排水機構は、前記操作ボタンの押操作によって、前記ワイヤーの前記後退位置から前記進出位置への切替と、前記進出位置から前記後退位置への切替との双方の切替を行えるようにしたプッシュ式の手動排水機構であり、
前記動力伝達機構は、前記ワイヤーにおける前記シリンダーに対応する位置に固定された操作片と、前記進出位置にある前記ワイヤーの前記操作片と前記後退位置にある前記ワイヤーの前記操作片との間に配置され、かつ前記ピストンの伸縮運動によって前記ワイヤーの進出方向に移動する作用片とを備え、
前記ワイヤーが前記進出位置にある状態で、前記作用片が進出方向に移動した際には、その作用片が前記操作片を介して前記ワイヤーおよび前記操作ボタンを進出方向に押し込むとともに、前記ワイヤーが後退位置にある状態で、前記作用片が進出方向に移動した際には、その作用片が前記操作片に干渉するのが回避されるように構成されている請求項２に記載の浴槽の給湯システム。
【発明の詳細な説明】
【技術分野】
【０００１】
この発明は例えば、排水栓を手動で開閉するポップアップ式排水機構等のような遠隔操作式手動排水機構を備えた浴槽の給湯システムに関する。
【背景技術】
【０００２】
室外の給湯機から湯水が浴槽内に供給されるようにした従来の浴槽の給湯システムにおいては、排水栓の開閉を遠隔操作で行うようにしたものが周知である。例えば下記特許文献１に示す浴槽の給湯システムには、浴槽の縁等に操作ボタン等の排水操作部が設けられ、その操作ボタンを押操作することによって、浴槽の底壁の排水口に設けられた排水栓を開閉できるようにしたポップアップ式排水機構が装着されている。ポップアップ式排水機構は操作ボタンと排水栓とが動力伝達用のワイヤーによって連結されており、操作ボタンを押操作することにより、ワイヤーが進退駆動して排水栓が開閉するように構成されている。このようなポップアップ式排水機構においては、ワイヤーの進退動作を使用者による操作力に基づいて行う手動開閉式（機械開閉式）の排水機構と、モーター等の駆動力に基づいて行う電動開閉式の排水機構とがある。
【０００３】
一方、上記のような浴槽の給湯システムにおいては、使用者の勘違い等によって排水栓を開放したままの状態で湯はりを行うことがあった。例えば排水栓が開放状態であるにもかかわらず閉塞状態であると勘違いしたり、操作ボタンの操作が不十分で排水栓が閉塞されていないにもかかわらず閉塞操作が確実であったと勘違いすることにより、開放状態のままで湯水の供給を開始してしまうことがある。そうすると言うまでもなく、浴槽内に湯水を貯めることができず湯はり不良（湯はりエラー）となってしまう。
【先行技術文献】
【特許文献】
【０００４】
【特許文献１】特開２００２−２６３０１９号公報
【発明の概要】
【発明が解決しようとする課題】
【０００５】
このような状況下にあって、電動開閉式の排水機構を備えた浴槽の給湯システムにおいては、コントローラ（制御盤）の自動制御によって上記湯はりエラーの発生を防止するという技術が提案されている。例えば、排水栓の開閉状態を検出する開閉状態検出センサを設けておいて、そのセンサからの情報に基づき、湯はり時に排水栓が開放している場合に、コントローラからの指令によって排水栓を閉塞するように設定しておくことにより、上記湯はりエラーの発生を防止することができる。
【０００６】
しかしながら、手動開閉式の排水機構を備えた浴槽の給湯システムにおいては、上記湯はりエラーの発生を防止できるような有効な対応策がなく、その対策が課題となっているのが現状である。
【０００７】
この発明は、上記の課題に鑑みてなされたものであり、遠隔操作式手動排水機構の排水栓を開放させた状態で謝って湯はりを開始したとしても、浴槽内に湯水を確実に貯めることができる浴槽の給湯システムを提供することを目的とする。
【課題を解決するための手段】
【０００８】
上記課題を解決するため、本発明は、以下の手段を備えるものである。
【０００９】
［１］浴槽の排水口に開閉自在に設けられた排水栓がワイヤーを介して開閉操作部に連結された手動排水機構を備え、前記開閉操作部の操作によって前記ワイヤーが進出した進出位置と後退した後退位置との間で進退移動するとともに、前記進出位置および前記後退位置のうち一方が前記排水栓を開放している開放位置とし、他方が前記排水栓を閉塞している閉塞位置として構成された浴槽の給湯システムであって、
給湯機から浴槽に湯水を供給する流通管路内に湯水が流通した際にその水流を動力源として動力を発生する動力発生機構と、
前記ワイヤーが前記閉塞位置にある状態で、前記動力発生機構によって動力が発生した際にはその動力を前記ワイヤーに伝達するのを禁止するとともに、前記ワイヤーが前記開放位置にある状態で、前記動力発生手段によって動力が発生した際にはその動力を前記ワイヤーに伝達して閉塞位置に進退移動させる動力伝達機構とを備えたことを特徴とする浴槽の給湯システム。
【００１０】
［２］前記動力発生機構としてのシリンダーと、
一端が前記シリンダーに連結されるとともに、他端が前記流通管路に連結されて、前記流通管路内に湯水が流通した際にその湯水の一部を前記シリンダーに導入して、前記シリンダーのピストンを伸縮移動させる分岐管とを備え、
前記動力伝達機構は、前記ワイヤーが前記閉塞位置にある状態で、前記分岐管を介して前記シリンダー内に湯水が導入された際には、前記ピストンの伸縮運動を前記ワイヤーに伝達するのを禁止するとともに、前記ワイヤーが前記開放位置にある状態で、前記分岐管を介して前記シリンダー内に湯水が導入された際には、前記ピストンの伸縮運動を前記ワイヤーに伝達して、前記ワイヤーを前記閉塞位置に進退移動させるように構成されている前項１に記載の浴槽の給湯システム。
【００１１】
［３］前記開閉操作部が押操作可能な操作ボタンによって構成され、
前記進出位置を前記開放位置とし、前記後退位置を前記閉塞位置としたとき、前記手動排水機構は、前記操作ボタンの押操作によって、前記ワイヤーの前記後退位置から前記進出位置への切替と、前記進出位置から前記後退位置への切替との双方の切替を行えるようにしたプッシュ式の手動排水機構である前項１または２に記載の浴槽の給湯システム。
【００１２】
［４］前記開閉操作部が押操作可能な操作ボタンによって構成され、
前記進出位置を前記開放位置とし、前記後退位置を前記閉塞位置としたとき、前記手動排水機構は、前記操作ボタンの押操作によって、前記ワイヤーの前記後退位置から前記進出位置への切替と、前記進出位置から前記後退位置への切替との双方の切替を行えるようにしたプッシュ式の手動排水機構であり、
前記動力伝達機構は、前記ワイヤーにおける前記シリンダーに対応する位置に固定された操作片と、前記進出位置にある前記ワイヤーの前記操作片と前記後退位置にある前記ワイヤーの前記操作片との間に配置され、かつ前記ピストンの伸縮運動によって前記ワイヤーの進出方向に移動する作用片とを備え、
前記ワイヤーが前記進出位置にある状態で、前記作用片が進出方向に移動した際には、その作用片が前記操作片を介して前記ワイヤーおよび前記操作ボタンを進出方向に押し込むとともに、前記ワイヤーが後退位置にある状態で、前記作用片が進出方向に移動した際には、その作用片が前記操作片に干渉するのが回避されるように構成されている前項２に記載の浴槽の給湯システム。
【発明の効果】
【００１３】
発明［１］の浴槽の給湯システムによれば、ポップアップ式手動排水機構のような遠隔操作式手動排水機構の排水栓を開放した状態で湯はりを行ったとしても、排水栓が自動的に閉塞するため、排水栓開放状態であっても湯はりを支障なく行うことができ、浴槽内に湯水を確実に貯めることができる。
【００１４】
発明［２］の浴槽の給湯システムによれば、上記の効果をより確実に得ることができる。
【００１５】
発明［３］［４］の浴槽の給湯システムによれば、押操作のみで排水栓を開閉するようにしたプッシュ式排水機構に対して、排水栓開放状態であっても上記と同様に湯はりを支障なく行うことができる。
【図面の簡単な説明】
【００１６】
【図１】図１はこの発明の実施形態である浴槽の給湯システムを説明するためのブロック図である。
【図２】図２は実施形態における浴槽の給湯システムの要部を排水栓閉塞状態で示す断面図である。
【図３】図３は実施形態の浴槽の給湯システムにおいて排水栓閉塞状態で湯はりを行った際の動作を説明するための断面図である。
【図４】図４は実施形態における浴槽の給湯システムも要部を排水栓開放状態で示す断面図である。
【図５】図５は実施形態の浴槽の給湯システムにおいて排水栓開放状態で湯はりを行った際の動作を説明するための断面図であって、図（ａ）は排水栓が閉塞される直前の状態を示す断面図、図（ｂ）は排水栓が閉塞された直後の状態を示す断面図である。
【発明を実施するための形態】
【００１７】
図１はこの発明の実施形態である浴槽の給湯システムを説明するためのブロック図である。同図に示すようにこの給湯システムは、浴槽Ｂの側壁に貫通状態に給湯口アダプター９が取り付けられるとともに、室外給湯機９１と給湯口アダプター９とが往き管９ａおよび戻り管９ｂの２本の外管（流通管路）によって連結されている。そして湯はり時には、給湯機９１から吐出された湯水が往き管９ａおよび戻り管９ｂを通って給湯口アダプター９から浴槽内に吐出されるように構成されている。このように湯はり時にはダブル搬送方式で湯水が供給されるようになっている。また追い焚き時には、浴槽内の湯水が給湯口アダプター９から戻り管９ｂに吸い込まれて給湯機９１に戻されて、そこで湯水が加熱された後、往き管９ａを通って給湯口アダプター９から浴槽内に吐出されるように構成されている。このように追い焚き時には、浴槽Ｂ内および給湯機９１間で湯水が循環されるようになっている。
【００１８】
また本実施形態の浴槽Ｂには、底壁の排水口９５に設けられた排水栓１１を、浴槽Ｂの縁等に設けられた開閉操作部としての操作ボタン２０を押操作することにより開閉するようにしたプッシュ式、ノック式と称される手動排水機構１が採用されている。
【００１９】
本実施形態において手動排水機構１は、排水栓１１と、操作ボタン２０を含む操作機構部２と、排水栓１１および操作機構部２間を連結するワイヤー１２とを基本的な構成要素として備えている。
【００２０】
排水栓１１は、排水口９５に上下方向に昇降自在に取り付けられており、上昇した状態では排水口９５から離間して排水口９５を開放するとともに、降下した状態では排水口９５に密着して排水口９５を閉塞するように構成されている。
【００２１】
図２は実施形態における浴槽の給湯システムの要部を排水栓閉塞状態で示す断面図、図４は排水栓開放状態で示す断面図である。図１、図２および図４に示すように、操作機構部２は、浴槽Ｂの縁に貫通状態に取り付けられる略円筒状のボタンホルダー２１を備えている。このボタンホルダー２１に略円盤状の操作ボタン２０が上下方向に昇降自在に取り付けられている。
【００２２】
ボタンホルダー２１の下方にはロック機構２３が設けられている。また操作ボタン２０の下面には軸心に沿ってボタン軸２２が固定されており、このボタン軸２２が上記ロック機構２３に上下方向に貫通した状態に取り付けられている。
【００２３】
ロック機構２３の下端には円筒状のバネケーシング２４の上端が固定されており、そのバネケーシング２４にワイヤー１２の一端側（上端側）が挿通された状態に配置されるとともに、ワイヤー１２の一端（上端）が上記ボタン軸２２の下端に固定されている。さらにバネケーシング２４内にはワイヤー１２の外側に配置されるようにしてコイルバネ（付勢手段）２５が収容されている。そして図２に示す初期位置から操作ボタン２０を下方に押操作すると、図４に示すように操作ボタン２０、ボタン軸２２およびワイヤー１２が一体となってコイルバネ２５の付勢力に抗してコイルバネ２５を圧縮させつつ下方（進出方向）に移動するようになっている。
【００２４】
ここで本実施形態に採用されるロック機構２３は、図４に示すように操作ボタン２０の押操作によりワイヤー１２が下方位置に移動した状態でロックするロック手段と、ワイヤー１２がロック手段によって下方位置にロックされた状態でさらに操作ボタン２０を押操作してワイヤー１２を少し下方（進出方向）に移動した際には上記ロック手段によるロックを解除するロック解除手段とを備えている。そしてロック解除手段によってロックが解除された際には、コイルバネ２５の付勢力によってワイヤー１２および操作ボタン２０が上方（後退方向）に移動して、図２に示す初期位置（上方位置）に戻るようになっている。従って操作ボタン２０の押操作のみよって、操作ボタン２０およびワイヤー１２の上方位置から下方位置への切替と、下方位置から上方位置への切替とのいずれの切替も行えるようになっている。
【００２５】
既述した通りワイヤー１２の他端は排水栓１１に連結されており、図２に示すように操作ボタン２０およびワイヤー１２が上方位置（初期位置）にある場合には、排水栓１１は降下した状態、つまり排水口９５が閉塞された状態となる。またその閉塞状態から図４に示すように操作ボタン２０の押操作により操作ボタン２０およびワイヤー１２が降下して下方位置でロックされた場合には、排水栓１１はワイヤー１２によって上方に突き上げられて上昇した状態、つまり排水口９５が開放された開放状態となる。
【００２６】
本実施形態においては、操作ボタン２０およびワイヤー１２において、図２に示す上昇した位置（上方位置）が後退位置（閉塞位置）に相当し、図４に示す降下した位置（下方位置）が進出位置（開放位置）に相当するものである。
【００２７】
バネケーシング２４の下方においてワイヤー１２に対応するように動力伝達機構３が配置されるとともに、動力伝達機構３の近傍にはシリンダー４が配置されている。
【００２８】
シリンダー４は、上下に沿って配置される筒状のシリンダー本体４１と、シリンダー本体４１内に上方（一端側）に突出可能に収容されたピストン４２と、シリンダー本体４１内にピストン４２の外側に配置されるように収容されたコイルバネ４３とを備えている。さらにシリンダー本体４１の下端（他端）には分岐管４４の一端が連結されるとともに、分岐管４４の他端が浴槽Ｂおよび室外給湯機９１間に配置された往き管９ａに連結されている。そして往き管９ａ内に湯水が流通した際にはその湯水の一部が分岐管４４を介してシリンダー本体４１の下端側（他端側）に導入されてその水圧によってピストン４２がコイルバネ４３の付勢力に抗してコイルバネ４３を圧縮させつつ上方（一端側）に移動して上方に突出（伸長）するようになっている。さらに往き管９ａ内における湯水の流動が停止することによりシリンダー本体４１内の水圧が低下した際には、コイルバネ４３の付勢力によってピストン４２が下方（他端側）に移動してシリンダー本体４１内に収容（収縮）するようになっている。このように往き管９ａ内の湯水が供給／停止することによってシリンダー４のピストン４２が進退（伸縮）運動するようになっている。
【００２９】
動力伝達機構３は、操作片３０と、送り歯車３１と、ワンウエイクラッチレバー３２とを備えている。操作片３０は、ワイヤー１２におけるバネケーシング２４の下端から引き出された部分に固定されて、ワイヤー１２と共に進退移動（上下移動）するように構成されている。
【００３０】
送り歯車３１は、周方向に等間隔おきに設けられた６つの歯（歯車歯）を有し、歯が操作片３０に対応するように、ワイヤー１２の軸心に対し直交する軸回りに回転自在に取り付けられている。この送り歯車３１は、図示しないラチェット機構等によって図２の紙面に向かって時計方向の回転を規制しつつ反時計方向に１ピッチ（１／６周）ずつ回転するように構成されている。
【００３１】
ワンウエイクラッチレバー３２は、その基端側が送り歯車３１と同軸回りに回転自在に取り付けられており、ワンウエイクラッチレバー３２の一方向（反時計方向）の回転運動のみを送り歯車３１に伝達し、他方向（時計方向）の回転運動は送り歯車３１に伝達されないようになっている。
【００３２】
ワンウエイクラッチレバー３２の先端は、送り歯車３１よりも外側に突出するように配置されており、そのレバー３２の先端部に上記シリンダー４のピストン４２の先端部が回転自在にかつスライド自在に取り付けられている。
【００３３】
この構成においては、往き管９ａ内の湯水の流通によってシリンダー４のピストン４２が伸長すると、ワンウエイクラッチレバー３２が反時計方向に所定量回転して送り歯車３１が１ピッチ分反時計方向に回転する。その後、湯水の流通が停止した際には、シリンダー４のピストン４２が収縮してワンウエイクラッチレバー３２が逆方向（時計方向）に所定量回転して初期位置に戻るものの、送り歯車３１は逆方向（時計方向）に回転せず、回転後の状態のまま維持される。なお送り歯車３１は１ピッチずつ回転するため、各歯を区別しない場合には回転の有無にかかわらず、歯の位置は常に同じ位置に配置されることとなる。
【００３４】
なお本実施形態においては、送り歯車３１の６つの歯のうち図２の紙面に向かって左上に配置される歯３１ａが、図２に示すように上方位置のワイヤー１２の操作片３０と、図４に示すように下方位置のワイヤー１２の操作片３０との間に配置されており、この左上の歯３１ａが作用片として機能するものである。
【００３５】
すなわち本実施形態においては、図に２示すように操作ボタン２０およびワイヤー１２が上方位置（閉塞位置）にあり排水口９５が閉塞された状態（閉塞状態）においては、送り歯車３１の左上の歯３１ａが操作片３０のつば部の下側に配置されるように構成されている。この状態において往き管９ａ内を湯水が流通して、送り歯車３１が１ピッチ回転したとしても、図３に示すように送り歯車３１の左上の歯３１ａは操作片３０に干渉することがなく、排水口９５が閉塞された状態に維持される。
【００３６】
一方、図４に示すように操作ボタン２０およびワイヤー１２が下方位置（開放位置）でロック機構２３にロックされて排水口９５が開放された状態（開放状態）においては、送り歯車３１の左上の歯３１ａは操作片３０のつば部の上側に配置されるように構成されている。この状態において往き管９ａ内を湯水が流通して、送り歯車３１が回転すると、図５（ａ）に示すように左上の歯３１ａが操作片３０に当たって操作片３０をワイヤー１２と共に少量下方に押し込んだ後、１ピッチ分の回転が完了して図５（ｂ）に示すように左上まで移動して操作片３０から離間する。こうしてワイヤー１２が歯３１ａによって操作片３０を介して下方に少量押し込まれると既述した通り、ロック機構２３によるワイヤー１２および操作ボタン２０の開放位置（下方位置）でのロックが解除されて、コイルバネ２５の付勢力によって、ワイヤー１２および操作ボタン２０が上昇して閉塞位置（上方位置）に戻る。これにより排水栓１１がワイヤー１２によって引き込まれて降下し排水口９５が閉塞される。ここで送り歯車３１の左上の歯３１ａと、左下の歯とは操作片３０の可動範囲の外側に配置されるように構成されており、ワイヤー１２の上昇に伴って操作片３０が上昇しても操作片３０が送り歯車３１に接触することはなく、ワイヤー１２（操作片３０）の上昇が不具合なく行われるようになっている。
【００３７】
以上のように本実施形態の浴槽の給湯システムにおいては、排水口９５が開放された状態で往き管９ａ内に湯水が流通すると、排水口９５が排水栓１１によって閉塞されるようにしている。このため排水栓１１を開放した状態で謝って湯はりを行った場合、その湯はりによって往き管９ａ内に湯水が流通して、自動的に排水口９５が閉塞される。従って湯はり時に浴槽内に湯水を貯めるのを失敗するような湯はりエラーの発生を確実に防止することができる。
【００３８】
また排水口９５が閉塞された状態で通常通り湯はりを行った場合には、湯はりによって往き管９ａ内に湯水が流通しても、排水口９５が閉塞された状態に維持されるため、通常の湯はりを支障無く行うことができる。
【００３９】
なお上記実施形態においては、動力伝達機構３として、シリンダー４のピストン４２の伸縮運動を、ワンウエイクラッチレバー３２および送り歯車３１を介してワイヤー１２の操作片３０に伝達するものを採用しているが、それだけに限られず、本発明においては、ワイヤーが閉塞位置にある状態では、ピストンの伸縮運動はワイヤーに伝達するのが禁止されるとともに、ワイヤーが開放位置にある状態では、ピストンの伸縮運動がワイヤーに伝達されて、ワイヤーを閉塞位置に移動させるような動力伝達機構であれば、どのような機構も採用することができる。例えばテコ（レバー）を利用した動力伝達機構も採用することができる。すなわちテコの一端（力点側）をピストン４２の先端に連結し、回転軸（支点）を実施形態の送り歯車３１の回転軸と同様な位置に設定し、他端（作用点側）を実施形態の送り歯車３１の左上の歯３１ａと同様な位置に配置しておき、ピストン４２が伸長した際に、テコの一端が持ち上げられると同時にテコの他端が降下してその他端によってワイヤーの操作片を下方に押し込むように構成しても良い。
【００４０】
また言うまでもなく本発明においては、送り歯車の歯数やピッチ等は上記実施形態のものに限定されるものではない。
【００４１】
また上記実施形態においては、操作ボタン２０の押操作だけで排水栓１１の開閉を行うようにしたプッシュ式（ノック式）の手動排水機構１を備えた浴槽に本発明を適用する場合を例に挙げて説明したが、それだけに限られず、本発明においては、他のポップアップ式（ワイヤー式）手動排水機構例えば、開閉操作部としての操作ノブを引いたり押したりして排水栓の開閉を行うようにした手動排水機構を備えた浴槽にも適用することができる。
【００４２】
また上記実施形態においては、シリンダー４のピストン４２が伸長（進出）した際に、排水栓１１が開放状態から閉塞状態に切り替わるように構成しているが、それだけに限られず、本発明においては、シリンダーのピストンが収縮（後退）した際に、排水栓が開放状態から閉塞状態に切り替わるように構成しても良い。
【００４３】
さらに上記実施形態においては、ワイヤー１２が進出した際に排水栓１１が開放し、後退した際に閉塞するように構成されているが、それだけに限られず、本発明においては、ワイヤーが進出した際に排水栓が閉塞し、後退した際に開放するように構成しても良い。
【００４４】
また上記実施形態においては、動力発生機構としてシリンダー４を用いる場合を例に挙げて説明したが、それだけに限られず、本発明は、往き管９ａ等の流通管路内を流通する湯水の水流（水圧）を動力源として動力を発生する機構であれば、どのような機構でも採用することができる。例えば流通管路内を流通する湯水の水流によって回転する水車を動力発生機構として設置しておき、その水車の回転運動を送り歯車３１等の動力伝達機構３によってワイヤー１２に伝達してワイヤー１２を進退移動させるように構成しても良い。
【００４５】
また上記実施形態においては、シリンダー４に湯水を供給する分岐管４４を往き管９ａに連結する場合を例に挙げて説明したが、それだけに限られず、本発明は、上記実施形態のように湯はり時に往き管および戻り管の双方で湯水を浴槽に供給するようにしたダブル搬送式の給湯システムであれば、戻り管を流通管路としてその戻り管に分岐管を連結するようにしても良い。
【００４６】
また上記実施形態においては、浴槽および給湯機間で湯水を循環できる循環式の給湯システムに本発明を適用する場合を例に挙げて説明したが、それだけに限られず、本発明は、差し湯式の給湯システム等、給湯機から浴槽への湯水の供給のみを行うようにした給湯システムにも適用することができる。
【産業上の利用可能性】
【００４７】
この発明の浴槽の給湯システムは、例えばポップアップ式手動排水機構が装着される浴槽に適用することができる。
【符号の説明】
【００４８】
１：手動式排水機構
１１：排水栓
１２：ワイヤー
２０：操作ボタン（開閉操作部）
３：動力伝達機構
３０：操作片
３１ａ：歯車歯（作用片）
４：シリンダー
４２：ピストン
４４：分岐管
９ａ：往き管（流通管路）
９１：室外給湯機
９５：排水口
Ｂ：浴槽
【図１】
2018071313.tif 000003
【図２】
2018071313.tif 000004
【図３】
2018071313.tif 000005
【図４】
2018071313.tif 000006
【図５】
2018071313.tif 000007